(57)【特許請求の範囲】
【請求項１】
柔軟性及び弾性を有する板状の基板と、該基板に一体に設けられて基板の下面から下方に突出する複数の弾性突部とを備え、基板の上面に掌を沿わせて手に装着し使用する洗髪用ブラシであって、前記基板は、手に装着された基板の指先側を前側として、基板の前側の周縁に間隔を開けて前方向に突出する一対の突部が基板と一体に形成され、人差し指と薬指の指先を挿入するための指先挿入部が、突部と該突部上に形成された半ドーム状のカバー部により構成され、該カバー部は、突部又はその付近の基板まで延びてそれらと一体に形成されており、２つの指先挿入部間の間隔はそこに中指の指先が収まる幅であり、
基板の上面には、基板を掌に沿わせて配置させるためのバンド状の装着支持部が設けられ、基板の上面と装着支持部との間に手を指先から挿し入れ、人差し指と薬指の指先を指先挿入部に挿入することにより基板が掌に沿うように配置されるものであり、
且つ基板には、該基板を容易に湾曲又は屈曲可能とする易曲部が設けられ、該易曲部は前記装着支持部の前側に設けられており、さらに前記指先挿入部は易曲部よりも前側に設けられていることを特徴とする洗髪用ブラシ。
【請求項２】
突部が、その先端方向に向かって徐々に幅狭となる形状をなし、その突部の形状に対応して、カバー部は、先細りの半ドーム状である請求項１記載の洗髪用ブラシ。
【請求項３】
突部の下面にも弾性突部が一体に設けられている請求項１又は請求項２記載の洗髪用ブラシ。
【請求項４】
装着支持部は、基板の両側縁部から基板横方向に延びるように設けられ、装着支持部の上面視で、装着支持部は、その前側縁部及び又は後側縁部の少なくとも後側縁部が前側に凸の形状をなしている請求項１乃至請求項３のいずれか一項記載の洗髪用ブラシ。
【発明の詳細な説明】
【技術分野】
【０００１】
本発明は、主に一般家庭で使用される洗髪用ブラシに関する。
【背景技術】
【０００２】
基板が手の形に形成され、基板の上面を掌に沿わせて手に装着し使用する洗髪用ブラシが従来から存在している（特許文献１）。この従来の洗髪用ブラシは、掌に沿わせる基板本体と、その基板本体から延びる５本の指基板とから成る。そして、指基板の親指基板を除く４本の指基板の中央やや指先寄りに、指を挿通させるための指挿通部が設けられ、基板本体には基板を手に装着するためのバンドが設けられている。また、基板本体と指基板の下面には多数の突部が設けられている。
【０００３】
上述した従来の洗髪用ブラシを使用するときは、まず右手に洗髪用ブラシを装着し、次に、ポンプヘッドの上に、人差し指又は中指の指先が接している指基板の下面を載せ、ポンプヘッドを押し下げることによりシャンプーをノズルから吐出させる。この場合、指先がポンプヘッドに直接触れずに、基板及び弾性突起を介してポンプヘッドの上面に宛がわれるから、ポンプヘッドのどのあたりに基板が当たっているかについて、指先の触覚から感じる取ることができない。したがって、ポンプヘッドの思わぬ場所を押して容器を倒す虞がある。また、ポンプヘッドを押したときに弾性突起が撓むことになり、その結果、弾性突起の先端は当初宛がったポンプヘッドの位置からずれなくても、弾性突起の撓みによって基板とその上の指先が一緒にずれるので、非常に不安定になり、容器を倒す虞がある。弾性突起をポンプヘッドの上面に接触させることを避けるため、手の側面や手の甲を使ってポンプヘッドを押し下げることもできるが、非常に操作しづらいことは明らかである。
【０００４】
さらに、前述したように、従来の洗髪用ブラシの指基板には、指基板の親指基板を除く４本の指基板の中央やや指先寄りに、指を挿通させるための指挿通部が設けられている。したがって、洗髪用ブラシを手に装着するときは、４本の指を同時に指挿通部に挿通させていくことになるが、指挿通部に指先を挿入させるときにすべての指先を円滑に挿入させることは容易でなく、いくつかの指先は指挿通部の入口に引っ掛かるおそれもあり、全部の指を挿通する作業は手間がかかるのである。仮に、指を一本ずつ指挿通部に挿通させようとした場合は、さらに手間がかかることは明らかである。
【先行技術文献】
【特許文献】
【０００５】
【特許文献１】意匠登録第１１０２６２７号公報
【発明の概要】
【発明が解決しようとする課題】
【０００６】
下面に多数の弾性突起を設けた洗髪用ブラシであって、洗髪用ブラシを手に容易に装着することができ、シャンプー容器のポンプヘッドを押すときは、中指をポンプヘッドに直接接触させながらポンプを押し下げることができる洗髪用ブラシを提供することを目的とする。
【課題を解決するための手段】
【０００７】
請求項１記載の発明は、柔軟性及び弾性を有する板状の基板と、その基板に一体に設けられて基板の下面から下方に突出する複数の弾性突部とを備え、基板の上面に掌を沿わせて手に装着し使用する洗髪用ブラシであって、基板が、手に装着された基板の指先側を前側として、基板の前側の周縁に間隔を開けて前方向に突出する一対の突部が基板と一体に形成され、人差し指と薬指の指先を挿入するための指先挿入部が、突部とその突部上に形成された半ドーム状のカバー部により構成され、そのカバー部は、突部又はその付近の基板まで延びてそれらと一体に形成されており、２つの指先挿入部間の間隔はそこに中指の指先が収まる幅であり、基板の上面には、基板を掌に沿わせて配置させるためのバンド状の装着支持部が設けられ、基板の上面と装着支持部との間に手を指先から挿し入れ、人差し指と薬指の指先を指先挿入部に挿入することにより基板が掌に沿うように配置されるものであり、且つ基板には、その基板を容易に湾曲又は屈曲可能とする易曲部が設けられ、その易曲部は前記装着支持部の前側に設けられており、さらに前記指先挿入部は易曲部よりも前側に設けられている構成である。
【０００８】
請求項２記載の発明は、突部が、その先端方向に向かって徐々に幅狭となる形状をなし、その突部の形状に対応して、カバー部が、先細りの半ドーム状である構成である。
【０００９】
請求項３記載の発明は、突部の下面にも弾性突部が一体に設けられている構成である。
【００１０】
請求項４記載の発明は、装着支持部が、基板の両側縁部から基板横方向に延びるように設けられ、装着支持部の上面視で、装着支持部は、その前側縁部及び又は後側縁部の少なくとも後側縁部が前側に凸の形状をなしている構成である。
【発明の効果】
【００１１】
請求項１記載の発明は、基板の前側の周縁に間隔を開けて前方向に突出する一対の突部が基板と一体に形成され、その突部には人差し指と薬指の指先を挿入するための指先挿入部が設けられており、２つの指先挿入部間の間隔はそこに中指の指先が収まる幅である。したがって、洗髪用ブラシを手に装着したときに、中指は指先挿入部に挿入されておらずフリーの状態である。そこで、中指以外の基板に宛がわれている指を内側に曲げると、中指だけが前側に延びている状態となるので、その中指を使ってシャンプー容器のポンプヘッドを押し下げることができる。そのときに中指の指先はポンプヘッドの上面に直接接触するので、押している状態を指先の触覚からも感じる取ることができ、ポンプヘッドを押し下げる作業が不安定にならず、容器を倒してしまうことをほとんど防止できる。また、ポンプヘッドを押すときは、通常は人差し指で押すことが多いが、中指は手の中央にあって押すときに手のバランスが取れるので、実際は中指を使用した方がポンプヘッドを押し下げるのが非常に安定するのである。
【００１２】
また、請求項１記載の発明は、指先挿入部が、突部とその突部上に形成された半ドーム状のカバー部により構成されている。したがって、洗髪用ブラシを手に装着する場合に、指先を指先挿入部に円滑に挿入できないときは、半ドーム状のカバー部を他方の手の指先で摘んで指先挿入部がぶれないように保持することによって、指先を円滑に指先挿入部に挿入させることができる。
【００１３】
さらに、請求項１記載の発明は、基板に、その基板を容易に湾曲又は屈曲可能とする易曲部が設けられ、その易曲部は装着支持部の前側に設けられており、さらに指先挿入部は易曲部よりも前側に設けられている。したがって、易曲部が装着支持部の前側に設けられているので、中指でポンプヘッドを押し下げる場合に、中指以外の基板に宛がわれている指を内側に曲げて同時に基板も曲げようとするときに、易曲部があるために基板を容易に曲げることができる。
【００１４】
請求項２記載の発明は、突部が、その先端方向に向かって徐々に幅狭となる形状をなし、その突部の形状に対応して、カバー部は、先細りの半ドーム状である。したがって、突部とカバー部で構成される指先挿入部も先細りとなり、そこに挿入される人差し指と薬指の指先も先細りであるから、指先挿入部に挿入された指先が指先挿入部にフィットする。
【００１５】
請求項３記載の発明は、突部の下面にも弾性突部が一体に設けられている。したがって、洗髪中に頭皮にかゆみを感じたときに、突部の下面をかゆい場所に宛がってマッサージするようにもむと、指先の力がその突部の下面に集中しているので、効率的にかゆみを取ることができる。
【００１６】
請求項４記載の発明は、装着支持部の上面視で、装着支持部は、その前側縁部及び又は後側縁部の少なくとも後側縁部が前側に凸の形状をなしている。したがって、装着支持部と基板の間に後側から手を挿入するときに、まず指先から挿入するが、そのときに指先を円滑に挿入することができる。
【図面の簡単な説明】
【００１７】
【図１】図１は本発明の上面図である。
【図２】図２は本発明の下面図である。
【図３】図３は本発明の側面図である。
【図４】図４は掌に本発明を装着した上面図である。
【図５】図５は掌に本発明を装着した斜視図である。
【図６】図６はシャンプー容器のポンプヘッドを押している状態を示す側面図である。
【発明を実施するための形態】
【００１８】
次に、本発明の実施例について、図面を参照しながら説明する。洗髪用ブラシ１は、柔軟性及び弾性を有する板状の基板２を備えている。柔軟性及び弾性を有する材料としてエラストマー樹脂が用いられているが、これに限定されるものでなく、例えばシリコーン樹脂であってもよい。基板２はやや縦長に形成され、その両側部３，３の中央付近に、両側部３，３間の幅をやや狭めるくびれ部４，４が形成されている。くびれ部４，４を形成することによりそれらの間に、基板２を容易に湾曲又は屈曲可能とする易曲部５が形成されている。
【００１９】
洗髪用ブラシ１の下面には、ほぼ全面的に弾性突部６が設けられている。この弾性突部６は、基板２と一体に形成されている。基板２の前側の周縁には、一対の三角状の突部７、７が形成されており、この突部７の下面にも弾性突部６が設けられている。なお、突部７，７の形状が三角状に限定されないことは勿論である。
【００２０】
突部７，７の上面には、先細りの半ドーム状をなすカバー部８，８が、突部７，７の外周縁から立ち上がるように一体に形成されている。そして、突部７，７とカバー部８，８により指先挿入部９，９が形成されている。両指先挿入部９，９の間の間隔は、その間に中指の指先が収まる間隔である。カバー部８，８は、突部７，７上から基板２上まで延びており、その延びた部分は基板２と一体に形成されている。なお、カバー８，８が突部７，７上のみに形成されてもよい。カバー部８，８は先細りの半ドーム状に限定されるものでなく、例えば、先細りでなくてもよく、半円形ドーム状のほか、やや縦長の半ドーム状であってもよい。
【００２１】
基板２のくびれ部４，４のやや後側に、基板２の両側部３，３の間を横方向に一体に延びるバンド状の装着支持部１０が、基板２と一体に設けられている。装着支持部１０は、それと基板２の間に掌を挿通させて基板２を掌に沿わせて装着するためのものである。図１に示すように、装着支持部１０は、全体的に前側に凸の形状をなしており、したがって装着支持部１０の前側縁部１１及び後側縁部１２が共に前側に凸の形状をなしている。後側縁部１２が前側に凸であるから、手を装着支持部１０と基板２の間に挿入する際に、指先を円滑に挿し込むことができる。
【００２２】
また、装着支持部１０は、恰も別々の２つの装着支持部片が両側部３，３からそれぞれ中央に延びて、それらの端部が中央でくっついている形状をなしていると共に、端部上面に爪形状の４つの凹部１３が形成されている。そしてさらに、指先挿入部９，９は先細りで猫の耳の形状をなしているから、くびれ部４，４の上側の基板２は、猫の耳の形状と相俟って猫の顔の形状をなしている。したがって、図４に示すように、手に洗髪用ブラシ１を装着すると、恰も猫が前足に相当する装着支持部１０を手に回して手にしがみ付いている感じを与え、使用者に好感を与えることができる。なお、装着支持部１０は一体に延びるものに限定されるものでなく、例えば、２つの装着支持部片として、途中でバックル等により連結するものであってもよく、あるいは、２つの装着支持部片を連結することなく、装着支持部の中央部に隙間があってもよい。
【００２３】
次に、本発明の使用方法について説明する。洗髪用ブラシ１を手に装着するときは、まず基板２と装着支持部１０との間に、後側から親指以外の指を挿し込む。その際、前述したように装着支持部１０の後側縁部１２が前側に凸であるから、円滑に挿し込むことができる。そして、人差し指と薬指が指先挿入部９，９に挿入されるまで手を挿し込んでいく。指先の指先挿入部９，９への挿入は、人差し指と薬指の２本の指だけであるから、挿入作業が手間取ることなく円滑に挿入することができる。中指は、２つの指先挿入部９，９の間に収まるだけで、挿入するものではないので、手に装着支持部１０を装着する際の作業にストレスを与えない。なお、前述した特許文献１の意匠登録第１１０２６２７号の洗髪用ブラシは、右手専用であって左手に装着することができないが、本発明の洗髪用ブラシは左右いずれの手にも装着して使用することができる。
【００２４】
手に洗髪用ブラシ１が装着されると、図４に示すように、各指の第三関節（図示せず。）の上に装着支持部１０が宛がわれる。洗髪するための最初の作業は、シャンプー容器から掌にシャンプーを吐出させることである。そこで、中指を伸ばしたままで、人差し指と薬指と小指の３本の指を内側に折り曲げる。そうすると、図６に示すように、易曲部５の作用により基板２が指と共に内側に曲がり、中指は前方に突出する。あるいは、中指を含め４本の指を同時に内側に折り曲げてから、中指のみを前方に突出させてもよい。前述したように、各指の第三関節の上に装着支持部１０が宛がわれるので、装着支持部１０が指を曲げるときの障害にならない。装着支持部１０が指の第二関節よりも後側にあれば、ほぼそのような障害にならない。なお、本発明は、装着支持部１０に４本の指を挿し込んで使用するほか、人差し指、中指及び薬指の３本の指を挿し込み、装着支持部１０の外側に親指と小指が位置する装着方法であってもよい。
【００２５】
次に、伸ばした中指の指先の腹部をシャンプー容器１４のポンプヘッド１５の上面に宛がい、ポンプヘッド１５を押し下げてシャンプーをノズル（図示せず。）から他方の掌に吐出させる。ポンプヘッド１５を指先の腹部で直接接触させて押し下げるので、ポンプヘッド１５の上面が小さくても指先で調節しながら押すので、安定した状態で押すことができる。
【００２６】
次に、掌のシャンプーを髪に供給しながら洗髪用ブラシ１の弾性突部６で洗髪する。頭の全体を洗髪するときは、基板２の弾性突部６で効率的に洗髪することができる。洗髪中にシャンプーが不足し、追加する際も、前述のように中指を使って他方の掌にシャンプーを吐出させることができる。揉み上げの部分は、基板２の弾性突部６で洗髪しようとしても、基板２の外縁部が耳に当たって円滑に洗髪できないので、突部７の下面の弾性突部６を使用すれば円滑に洗髪することができる。なお、洗髪の際、最初は洗髪用ブラシ１を使用しないで、素手の両手で洗髪し、途中から洗髪用ブラシ１を手に装着して使用してもよい。符号１６は吊り下げ穴であって、使用後にフックに掛けておくことができる。
【００２７】
なお、本発明は前述した構成に基づいて種々の態様をとることが可能である。例えば、指先挿入部９の先端面に水抜き穴を形成することができる。また、基板２の厚みを変えることによって、易曲部５の部分を大きく曲げるほか、他の部分もやや弧状に曲がるようにしてもよいし、曲がらないようにしてもよい。また、基板２をさらに柔軟にしてどのような方向にも変形自在としてもよい。洗髪用ブラシ１を装着した手の中指の使い方としては、シャンプー容器１４のポンプヘッド１５を押し下げるほか、置台の上に置かれているシャンプー容器１４の下側周面を押して移動させたり、中指をポンプヘッド１５の下面に宛がってシャンプー容器１４を少し持ち上げながら移動させる等の他の用途に使うこともできる。また、本実施例では指先挿入部９，９が先細りで猫の耳の形状をなしていることを利用して、全体的に猫を模した形状を有しているが、指先挿入部９，９を含めて全体形状を変えることによって、他の動物を模した形状とすることもできる。
【符号の説明】
【００２８】
１  洗髪用ブラシ、    ２  基板、    ３  側部、    ４  くびれ部、    ５  易曲部、    ６  弾性突部、    ７  突部、    ８  カバー部、    ９  指先挿入部、    １０  装着支持部、    １１  前側縁部、    １２  後側縁部、    １３  凹部、    １４  シャンプー容器、    １５  ポンプヘッド、    １６  吊り下げ穴
【要約】
【課題】  下面に多数の弾性突起６を設けた洗髪用ブラシ１であって、洗髪用ブラシ１を手に容易に装着することができ、シャンプー容器１４のポンプヘッド１５を押すときは、中指をポンプヘッドに直接接触させながらポンプを押し下げることができる洗髪用ブラシを提供することを目的とする。
【解決手段】  基板２の前側の周縁に間隔を開けて前方向に突出する一対の突部７，７が基板２と一体に形成され、人差し指と薬指の指先を挿入するための指先挿入部９、９が、突部７，７と突部上に形成された半ドーム状のカバー部８，８により構成され、２つの指先挿入部９，９間の間隔はそこに中指の指先が収まる幅である。
【選択図】  図１【図１】
0006964387.tif 000002
【図２】
0006964387.tif 000003
【図３】
0006964387.tif 000004
【図４】
0006964387.tif 000005
【図５】
0006964387.tif 000006
【図６】
0006964387.tif 000007